(57)【要約】【課題】所望の目付量を実現可能な電気めっき電流制御方法を提供すること。【解決手段】電気めっき電流制御方法は、被めっき材１１の進行方向に沿って配置されると共に所定長さの複数のパスＰに分割されためっきラインＬを備えた電気めっき設備１０への供給電流を制御する電気めっき電流制御方法であって、被めっき材１１が既に通過したパスＰであって被めっき材１１の目付のための電流が供給されるパスＰである一又は複数の使用パスにおける目付量と、既に通過したパスＰであって使用パスでない一又は複数の非使用パスにおける目付量とを考慮して、被めっき材１１が通過する前のパスＰである一又は複数の未通過パスにおける電極１３ａ，１３ａへの供給電流値を導出することを含み、非使用パスにおける目付量は、非使用パスにおける電極１３ａ，１３ａへの供給電流として予め定められたＢＡＳＥ電流の電流値に応じて導出される。【選択図】図１
2020139218.tif 000002
【特許請求の範囲】
【請求項１】
被めっき材の進行方向に沿って配置されると共に所定長さの複数のパスに分割されためっきラインを備えた電気めっき設備への供給電流を制御する電気めっき電流制御方法であって、
前記被めっき材が既に通過した前記パスであって前記被めっき材の目付のための電流が供給される前記パスである一又は複数の使用パスにおける目付量と、既に通過した前記パスであって前記使用パスでない一又は複数の非使用パスにおける目付量とを考慮して、前記被めっき材が通過する前の前記パスである一又は複数の未通過パスにおける前記めっき電極への供給電流値を導出することを含み、
前記非使用パスにおける目付量は、前記非使用パスにおける前記めっき電極への供給電流として予め定められたベース電流の電流値に応じて導出される、電気めっき電流制御方法。
【請求項２】
前記被めっき材の第１領域が一の前記パスを通過する毎に、前記第１領域における目標目付量から、前記第１領域について既に目付が完了している完了目付量を差し引いた残り目付量を導出し、該残り目付量を充足する必要総電流を導出すると共に、該必要総電流に基づき、一又は複数の前記未通過パスから、前記被めっき材の目付のための電流が供給される前記パスである一又は複数の使用予定パスを特定する工程と、
特定された一又は複数の前記使用予定パスの情報に基づき、一又は複数の前記未通過パスそれぞれにおける前記めっき電極への供給電流値を導出する工程と、
導出された前記供給電流値に基づき、前記被めっき材が次に通過する次パスにおいて前記めっき電極に供給される電流を設定する工程と、を備え、
前記供給電流値を導出する工程では、
一又は複数の前記使用予定パスの情報に基づき、
一又は複数の前記使用予定パスについては、前記必要総電流に基づく目付量に応じて、前記めっき電極に供給される前記供給電流値を導出し、
前記未通過パスのうち、前記使用予定パスでない一又は複数の非使用予定パスについては、前記ベース電流の電流値を、前記めっき電極に供給される前記供給電流値として導出し、
前記使用予定パスを特定する工程では、
一又は複数の前記使用パスにおける目付量の合算値と、一又は複数の前記非使用パスにおける前記ベース電流の供給に応じた目付量の合算値とを合算した値を前記完了目付量として、前記残り目付量を導出する、請求項１記載の電気めっき電流制御方法。
【請求項３】
前記使用予定パスを特定する工程では、
前記非使用予定パスにおける前記ベース電流に応じた想定目付量を考慮して、一又は複数の前記使用予定パスを特定する、請求項２記載の電気めっき電流制御方法。
【請求項４】
前記使用予定パスを特定する工程では、
前記残り目付量から前記想定目付量を差し引いた値を再算出残り目付量として導出し、該再算出残り目付量を充足する前記必要総電流を導出し、一又は複数の前記使用予定パスを特定する、請求項３記載の電気めっき電流制御方法。
【請求項５】
前記使用予定パスを特定する工程では、
前記被めっき材の搬送速度が変化した場合において、前記ベース電流の値を前記搬送速度の変化に応じて補正し、更に補正されたベース電流の値から前記想定目付量を導出する、請求項３又は４記載の電気めっき電流制御方法。
【請求項６】
被めっき材の進行方向に沿って配置されると共に所定長さの複数のパスに分割されためっきラインを備えた電気めっき設備への供給電流を制御する電気めっき電流制御装置であって、
前記被めっき材が既に通過した前記パスであって前記被めっき材の目付のための電流が供給される前記パスである一又は複数の使用パスにおける目付量と、既に通過した前記パスであって前記使用パスでない一又は複数の非使用パスにおける目付量とを考慮して、前記被めっき材が通過する前の前記パスである一又は複数の未通過パスにおける前記めっき電極への供給電流値を導出する導出部を備え、
前記導出部は、前記非使用パスにおける目付量を、前記非使用パスにおける前記めっき電極への供給電流として予め定められたベース電流の電流値に応じて導出する、電気めっき電流制御装置。
【発明の詳細な説明】
【技術分野】
【０００１】
本発明は、電気めっき電流制御方法及び電気めっき電流制御装置に関する。
【背景技術】
【０００２】
特許文献１には、めっき電極を収納するめっき槽が被めっき材の進行方向に沿って並べて配置されためっきラインを備えた電気めっき設備において、被めっき材が加減速するときの必要電流の増減に応じて、使用するめっき電極数及び使用するめっき電極に流す電極電流をそれぞれ増減させることにより、所望の目付量の実現を図った電気めっき電流制御方法が記載されている。
【先行技術文献】
【特許文献】
【０００３】
【特許文献１】特開２０１０−２０２９５０号公報
【発明の概要】
【発明が解決しようとする課題】
【０００４】
ここで、上述した特許文献１では、使用しないめっき電極に電流を流していない。しかしながら、使用しないめっき電極に電流を流さない場合には、該めっき電極にめっき材が析出し、析出しためっき材が被めっき材に付着して欠陥となってしまうおそれがある。そこで、実際の電気めっき設備においては、使用しないめっき電極に対して一定の小電流（以下「ＢＡＳＥ電流」又は「ベース電流」と記載する場合がある）を流している。小電流であるものの、ＢＡＳＥ電流を流すことによっても、目付量が変化（詳細には、目付量が増加）する。
【０００５】
この点、上述した特許文献１に記載された技術では、ＢＡＳＥ電流を流すことによる目付量の変化が考慮されていないことから、目標目付量よりも最終製品のめっきが厚くなってしまうおそれがある。近年、めっきラインの高速化が進み、めっき電極数が増加しているため、目付量の幅（最薄目付と最厚目付との差）が大きくなっている。薄目付を行う場合においては、使用しない電極が多数を占めるため、特許文献１のようにＢＡＳＥ電流を考慮しない場合には、目標目付量よりも最終製品のめっきが厚くなるという現象がより顕著に現れることとなる。
【０００６】
本発明は上記実情に鑑みてなされたものであり、所望の目付量を実現可能な電気めっき電流制御方法及び電気めっき電流制御装置を提供することを目的とする。
【課題を解決するための手段】
【０００７】
本発明の一態様に係る電気めっき電流制御方法は、被めっき材の進行方向に沿って配置されると共に所定長さの複数のパスに分割されためっきラインを備えた電気めっき設備への供給電流を制御する電気めっき電流制御方法であって、被めっき材が既に通過したパスであって被めっき材の目付のための電流が供給されるパスである一又は複数の使用パスにおける目付量と、既に通過したパスであって使用パスでない一又は複数の非使用パスにおける目付量とを考慮して、被めっき材が通過する前のパスである一又は複数の未通過パスにおけるめっき電極への供給電流値を導出することを含み、非使用パスにおける目付量は、非使用パスにおけるめっき電極への供給電流として予め定められたベース電流の電流値に応じて導出される。
【０００８】
このような電気めっき電流制御方法では、使用パスにおける目付量だけでなく、ベース電流が供給される未使用パスにおける目付量（ベース電流に応じた目付量）が考慮されて、めっき電極への供給電流値が導出される。このように、ベース電流によって生じる目付量を加味して供給電流値が導出されることによって、ベース電流による厚目付を抑制することができ、所望の目付量を実現することができる。
【０００９】
上記制御方法は、被めっき材の第１領域が一のパスを通過する毎に、第１領域における目標目付量から、第１領域について既に目付が完了している完了目付量を差し引いた残り目付量を導出し、該残り目付量を充足する必要総電流を導出すると共に、該必要総電流に基づき、一又は複数の未通過パスから、被めっき材の目付のための電流が供給されるパスである一又は複数の使用予定パスを特定する工程と、特定された一又は複数の使用予定パスの情報に基づき、一又は複数の未通過パスそれぞれにおけるめっき電極への供給電流値を導出する工程と、導出された供給電流値に基づき、被めっき材が次に通過する次パスにおいてめっき電極に供給される電流を設定する工程と、を備え、供給電流値を導出する工程では、一又は複数の使用予定パスの情報に基づき、一又は複数の使用予定パスについては、必要総電流に基づく目付量に応じて、めっき電極に供給される供給電流値を導出し、未通過パスのうち、使用予定パスでない一又は複数の非使用予定パスについては、ベース電流の電流値を、めっき電極に供給される供給電流値として導出し、使用予定パスを特定する工程では、一又は複数の使用パスにおける目付量の合算値と、一又は複数の非使用パスにおけるベース電流の供給に応じた目付量の合算値とを合算した値を完了目付量として、残り目付量を導出してもよい。このように、目標目付量と完了目付量とから残り目付量を導出するに際し、非使用パスにおけるベース電流の供給に応じた目付量を完了目付量に加味することにより、ベース電流によって生じる目付量を確実に加味して供給電流値を導出することができる。
【００１０】
上記制御方法において、使用予定パスを特定する工程では、非使用予定パスにおけるベース電流に応じた想定目付量を考慮して、一又は複数の使用予定パスを特定してもよい。非使用パスにおけるベース電流を考慮して供給電流値を導出する場合においては、被めっき材が既に通過したパス（通過パス）のベース電流の供給に応じた目付量については適切に考慮することができるものの、今後通過するパス（未通過パス）のベース電流の供給に応じた目付量については通過速度が未確定であるため考慮することができない。このため、例えば、以降に使用パスがない区間において供給電流値の導出がなされない態様においては、最後の使用パス以降の非使用予定パスにおけるベース電流の供給に応じた目付量が考慮されずに供給電流値が導出されるため、最後の使用パス以降の非使用パスのベース電流によって厚目付が生じてしまうおそれがある。この点、非使用予定パスにおけるベース電流に応じた想定目付量を現在速度が継続した前提で考慮して使用予定パスが特定され供給電流値を導出することにより、最後の使用パス以降の非使用予定パスでの目付量も考慮して供給電流値が導出されることになり、最後の使用パス以降の非使用パスのベース電流によって厚目付が生じてしまうことを回避することができる。
【００１１】
上記制御方法において、使用予定パスを特定する工程では、残り目付量から想定目付量を差し引いた値を再算出残り目付量として導出し、該再算出残り目付量を充足する必要総電流を導出し、一又は複数の使用予定パスを特定してもよい。このように、ベース電流に応じた想定目付量が差し引かれて再算出残り目付量が導出され使用予定パスが特定されることにより、最後の使用パス以降の非使用予定パスにおけるベース電流の供給に応じた目付量を確実に考慮して供給電流値を導出することができる。
【００１２】
上記制御方法において、使用予定パスを特定する工程では、被めっき材の搬送速度が変化した場合において、ベース電流の値を搬送速度の変化に応じて補正し、更に補正されたＢＡＳＥ電流値から想定目付量を導出してもよい。このように、搬送速度の変化に応じてベース電流の値が変化されることにより、搬送速度が変化した場合においてもベース電流に応じた目付量を均一に保つことが可能になり、目付量の過不足が生じることを抑制できる。
【００１３】
本発明の他の態様に係る電気めっき電流制御装置は、被めっき材の進行方向に沿って配置されると共に所定長さの複数のパスに分割されためっきラインを備えた電気めっき設備における電流制御装置（整流器）への供給電流を制御する電気めっき電流制御装置であって、被めっき材の目付量を同一長さの分割区間で管理し、その分割区間毎に被めっき材が既に通過したパスであって被めっき材の目付のための電流が供給されるパスである一又は複数の使用パスにおける目付量と、既に通過したパスであって使用パスでない一又は複数の非使用パスにおける目付量とを考慮して、被めっき材が通過する前のパスである一又は複数の未通過パスにおけるめっき電極への供給電流値を導出する導出部を備え、導出部は、非使用パスにおける目付量を、非使用パスにおけるめっき電極への供給電流として予め定められたベース電流の電流値に応じて導出する。
【発明の効果】
【００１４】
本発明によれば、所望の目付量を実現可能な電気めっき電流制御方法及び電気めっき電流制御装置を提供することができる。
【図面の簡単な説明】
【００１５】
【図１】本発明の第１実施形態に係る電気めっき電流制御システムの概略構成を示す模式図である。
【図２】図１の電気めっき電流制御システムに含まれる電気めっき設備の概略構成を示す模式図である。
【図３】制御装置のハードウェア構成図である。
【図４】本発明の第１実施形態に係る電気めっき電流制御処理の実行手順を示すフローチャートである。
【図５】本発明の第１実施形態に係る電気めっき電流制御処理を説明する図であり、（ａ）は第１パスの計算位置における電流値算出結果を示す表、（ｂ）は第１パスを示す図である。
【図６】本発明の第１実施形態に係る電気めっき電流制御処理を説明する図であり、（ａ）は第４パスの計算位置における電流値算出結果を示す表、（ｂ）は第４パスを示す図である。
【図７】本発明の第１実施形態に係る電気めっき電流制御処理を説明する図であり、（ａ）は第５パスの計算位置における電流値算出結果を示す表、（ｂ）は第５パスを示す図である。
【図８】本発明の第１実施形態に係る電気めっき電流制御処理を説明する図であり、（ａ）は第６パスの計算位置における電流値算出結果を示す表、（ｂ）は第６パスを示す図である。
【図９】本発明の第１実施形態に係る電気めっき電流制御処理を説明する図であり、（ａ）は第７パスの計算位置における電流値算出結果を示す表、（ｂ）は第７パスを示す図である。
【図１０】第２実施形態に係る電気めっき電流制御処理の実行手順を示すフローチャートである。
【図１１】第２実施形態に係る電気めっき電流制御処理を説明する図であり、（ａ）は第１パスの計算位置における電流値算出結果を示す表、（ｂ）は第１パスを示す図である。
【図１２】第２実施形態に係る電気めっき電流制御処理を説明する図であり、（ａ）は第２パスの計算位置における電流値算出結果を示す表、（ｂ）は第２パスを示す図である。
【図１３】第３実施形態に係る電気めっき電流制御処理の実行手順を示すフローチャートである。
【図１４】第３実施形態に係る電気めっき電流制御処理を説明する図であり、（ａ）は第３パスの計算位置における電流値算出結果を示す表、（ｂ）は第３パスを示す図である。
【図１５】第３実施形態に係る電気めっき電流制御処理を説明する図であり、（ａ）は第４パスの計算位置における電流値算出結果を示す表、（ｂ）は第４パスを示す図である。
【発明を実施するための形態】
【００１６】
以下、実施形態について図面を参照しつつ詳細に説明する。説明において、同一要素又は同一機能を有する要素には同一の符号を付し、重複する説明を省略する。
【００１７】
［第１実施形態］
＜電気めっき電流制御システム＞
まず、図１〜図３を参照して、第１実施形態に係る電気めっき電流制御システム１を説明する。図１は、第１実施形態に係る電気めっき電流制御システム１の概略構成を示す模式図である。
【００１８】
図１に示されるように、電気めっき電流制御システム１は、電気めっき設備１０と、制御装置５０と、目付量設定器７０と、速度設定器８０とを備える。目付量設定器７０及び速度設定器８０は、制御装置５０に所定の情報を出力することにより、制御装置５０による電気めっき設備１０の制御を可能にする構成である。詳細には、目付量設定器７０は、被めっき材に対する目標目付量（めっきの付着量の目標値）を制御装置５０に出力（設定）する。また、速度設定器８０は、被めっき材の目標搬送速度（ライン速度）を制御装置５０に出力（設定）する。
【００１９】
（電気めっき設備）
図２は、電気めっき設備１０の概略構成を示す模式図である。電気めっき設備１０は、鋼板である被めっき材１１の進行方向に沿って配置されると共に所定長さの複数のパスＰ（第１パスＰ１、第２パスＰ２、第３パスＰ３、第４パスＰ４、第５パスＰ５、第６パスＰ６、第７パスＰ７、第８パスＰ８、及び第９パスＰ９）に分割されためっきラインＬを備えている。電気めっき設備１０では、被めっき材１１がめっきラインＬを通過しながら、各パスＰに設けられためっきセル１３の一対の電極１３ａ，１３ａに流れる電流に応じた目付がなされ、次工程へ送られる。めっきセル１３においては、被めっき材１１の両面（表面及び裏面）にめっきができるように、被めっき材１１の表面及び裏面のそれぞれに対向して電極１３ａ，１３ａが設けられている。被めっき材１１は、電動機（不図示）に駆動力を付与されるブライドル（不図示）、及び、略等間隔に設けられた複数のコンダクターロール１９ａ及びシンクロール１９ｂにより搬送される。めっきセル１３は、めっき槽１４に収容されている。めっき槽１４内にはめっき電解液が入っている。電極１３ａ，１３ａ、めっき電解液、被めっき材１１、及びコンダクターロール１９ａに電流が流れることにより、被めっき材１１に、各めっきセル１３の物質或いは電解液中に含まれるめっき物質がめっきされる。
【００２０】
めっきラインＬは、略等間隔で、第１パスＰ１、第２パスＰ２、第３パスＰ３、第４パスＰ４、第５パスＰ５、第６パスＰ６、第７パスＰ７、第８パスＰ８、及び第９パスＰ９に分割されている。各パスＰの制御区間は例えば互いに連続するコンダクターロール１９ａ，シンクロール１９ｂ間（詳細にはコンダクターロール１９ａ，シンクロール１９ｂの計算位置ＣＲ間）とされている。また、図２に示されるように、被めっき材の分割区間は、例えば第１領域をトラッキングポイントＴａ〜Ｔｂ、第２領域をトラッキングポイントＴｂ〜Ｔｃ、第３領域をトラッキングポイントＴｃ〜Ｔｄ、第４領域をトラッキングポイントＴｄ〜Ｔｅ、第５領域をトラッキングポイントＴｅ〜Ｔｆ、第６領域をトラッキングポイントＴｆ〜Ｔｇ、第７領域をトラッキングポイントＴｇ〜Ｔｈ、第８領域をトラッキングポイントＴｈ〜Ｔｉ、第９領域をトラッキングポイントＴｉ〜Ｔｊのように分割する。各パスＰの上流側は、電流値を計算する計算位置ＣＲとされている。また、各パスＰのめっきセル１３の電極１３ａ上流端の位置は、計算位置ＣＲにおいて算出された電流値が電気めっき設備１０に設定される出力位置ＯＲとされている。
【００２１】
（制御装置）
図１に戻り、制御装置５０の機能について説明する。制御装置５０は、電気めっき設備１０を制御する装置である。制御装置５０は、取得部５１と、記憶部５２と、導出部５３と、設定部５４と、を備える。
【００２２】
取得部５１は、目付量設定器７０から目標目付量を取得すると共に、速度設定器８０から、被めっき材１１の搬送速度であるライン速度を取得する。取得部５１は、取得した目標目付量及びライン速度を記憶部５２に格納する。取得部５１は、所定の時間間隔で上記情報を取得してもよいし、目標目付量又はライン速度が変化した場合にのみこれらの情報を取得してもよい。
【００２３】
導出部５３は、各めっきセル１３の電極１３ａ，１３ａ（めっき電極）への供給電流値を導出する。導出部５３は、記憶部５２から目標目付量及びライン速度を取得し、被めっき材１１のトラッキングポイントＴａ〜Ｔｊが各パスＰの計算位置ＣＲを通過する毎に、各めっきセル１３の電極１３ａ，１３ａ（めっき電極）への供給電流値を導出する。導出部５３は、導出した各めっきセル１３の電極１３ａ，１３ａへの供給電流値を記憶部５２に格納する。
【００２４】
導出部５３は、まず、被めっき材１１の所定の領域における目標目付量から該所定の領域について既に目付が完了している完了目付量を差し引いた残り目付量を導出する。つづいて、導出部５３は、残り目付量を充足する（残り目付量分だけ目付を行うことができる）必要総電流を導出する。つづいて、導出部５３は、必要総電流に基づき、一又は複数の未通過パスから一又は複数の使用予定パスを特定する。未通過パスとは、被めっき材１１が通過する前（被めっき材１１が今後通過する予定）のパスＰである。未通過パスには、上述した使用予定パスと、非使用予定パスとが含まれている。使用予定パスとは、被めっき材１１の目付のための電流が供給される予定のパスＰである。非使用予定パスとは、使用予定パスでないパスＰである。なお、非使用予定パスにも、一定の小電流（ＢＡＳＥ（ベース）電流）が供給されるが、該ＢＡＳＥ電流は、電極１３ａ，１３ａにめっき材が析出することを抑制するための電流である。よって、「被めっき材１１の目付のための電流」には、ＢＡＳＥ電流は含まれず、非使用予定パスは、使用予定パス（被めっき材１１の目付のための電流が供給される予定のパスＰ）とは異なる。そして、導出部５３は、特定された一又は複数の使用予定パスの情報に基づき、一又は複数の未通過パス（使用予定パス及び未使用予定パスの双方を含みうる一又は複数のパスＰ）それぞれにおける電極１３ａ，１３ａへの供給電流値を導出する。
【００２５】
上述した残り目付量の導出について詳細に説明する。導出部５３は、被めっき材１１が既に通過したパスＰであって被めっき材１１の目付のための電流が供給されたパスＰである一又は複数の使用パスにおける目付量と、被めっき材１１が既に通過したパスＰであって上述した使用パスでない一又は複数の非使用パスにおける目付量とを考慮して、残り目付量を導出する。各使用パスにおける目付量は、目標目付量とパスＰ毎の重みとに基づき設定されるものである（詳細は後述）。非使用パスにおける目付量は、非使用パスにおける電極１３ａ，１３ａへの供給電流として予め定められたＢＡＳＥ電流の電流値に応じて導出される。導出部５３は、各使用パスにおける目付量の合算値と、各非使用パスにおけるＢＡＳＥ電流の供給に応じた目付量の合算値とを合算した値を完了目付量として導出し、目標目付量から該完了目付量を差し引くことによって残り目付量（今後、使用予定パス及び非使用予定パスにおいて目付される量）を導出する。
【００２６】
上述した未通過パスそれぞれにおける電極１３ａ，１３ａへの供給電流値の導出について詳細に説明する。導出部５３は、特定された一又は複数の使用予定パスの情報に基づき、一又は複数の使用予定パスについては、上述した必要総電流に基づく目付量に応じて、電極１３ａ，１３ａに供給される供給電流値を導出し（詳細は後述）、一又は複数の非使用予定パスについては、ＢＡＳＥ電流の電流値を、電極１３ａ，１３ａに供給される供給電流値として導出する。
【００２７】
設定部５４は、導出部５３によって導出された供給電流値に基づき、被めっき材１１が次に通過するパスＰである次パスにおいて電極１３ａ，１３ａに供給される電流を設定する。設定部５４は、次パスのめっきセル１３の電極１３ａ，１３ａへの供給電流値を記憶部５２から取得し、該電極１３ａ，１３ａに供給される電流を設定する。
【００２８】
図３は、制御装置５０のハードウェア構成図である。図３に示されるように、制御装置５０は、一つ又は複数のプロセッサ１０３と、メモリ１０４と、ストレージ１０５と、入出力ポート１０６と、を有する回路１００により構成される。入出力ポート１０６は、電気めっき設備１０、目付量設定器７０、及び速度設定器８０との間で制御信号の入出力を行う。ストレージ１０５は、支援効果計算機３による処理を実行させるためのプログラムを記録している。ストレージ１０５は、コンピュータ読み取り可能であればどのようなものであってもよい。具体例として、ハードディスク、不揮発性の半導体メモリ、磁気ディスク及び光ディスク等が挙げられる。メモリ１０４は、ストレージ１０５からロードしたプログラム及びプロセッサ１０３の演算結果等を一時的に記憶する。プロセッサ１０３は、メモリ１０４と協働してプログラムを実行することで、上述した各機能モジュールを構成する。
【００２９】
なお、制御装置５０のハードウェア構成は、必ずしもプログラムにより各機能モジュールを構成するものに限られない。例えば制御装置５０の各機能モジュールは、専用の論理回路又はこれを集積したＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）により構成されていてもよい。
【００３０】
＜電気めっき電流制御処理の実行手順＞
次に、図４を参照して、制御装置５０が行う電気めっき電流制御処理（制御方法）の実行手順について詳細に説明する。
【００３１】
図４に示されるように、制御装置５０の取得部５１は、最初に、目付量設定器７０から目標目付量を取得する（ステップＳ１）。また、取得部５１は、速度設定器８０からライン速度を取得する。取得部５１は、取得した目標目付量及びライン速度を記憶部５２に格納する。
【００３２】
つづいて、制御装置５０の導出部５３は、トラッキングポイントＴａ〜Ｔｊが各パスＰの計算位置ＣＲを通過すると（ステップＳ２）、目標目付量から完了目付量を差し引いた残り目付量を算出する（ステップＳ３）。具体的には、導出部５３は、記憶部５２から目標目付量を取得すると共に、各使用パスにおける目付量の合算値と各非使用パスにおけるＢＡＳＥ電流の供給に応じた目付量の合算値とを合算した値を完了目付量として導出し、目標目付量から完了目付量を差し引いて残り目付量を算出する。
【００３３】
つづいて、導出部５３は、以下の（１）式から、残り目付量Ｆに応じた必要総電流Ｉを算出する（ステップＳ４）。導出部５３は、必要総電流の導出に際して、記憶部５２からライン速度Ｖを取得する。なお、係数Ｋは所定値であり、被めっき材１１の幅Ｗ及びめっき効率Ｅについても制御処理中において変化することがない所定値であるとする。
Ｉ＝Ｋ＊Ｆ*Ｗ*Ｖ／Ｅ      （１）
Ｉ：必要総電流(Ａ)、Ｋ：係数、Ｆ：残り目付量(ｇ/ｍ２)、Ｗ：被めっき材１１の幅(ｍｍ)、Ｖ：ライン速度(ｍｐｍ)、Ｅ：めっき効率(％)
【００３４】
つづいて、導出部５３は、以下の（２）式を満たすように、使用パス数ｍを決定する（ステップＳ５）。すなわち、導出部５３は、使用パス数ｍを、必要総電流を満たす最小の数とする。各パスＰの起動優先順位及び負担割合Ｂｎについては予め定められている。
Σn=1〜m-1（ｉＲ*Ｂｎ）＜Ｉ＜Σn=1〜m（ｉＲ*Ｂｎ）      （２）
ｍ：使用パス数、ｉＲ：各パスの定格電流（Ａ）、Ｉ：必要総電流（Ａ）、Ｂｎ：起動優先順位ｎ番目のパスＰの負担割合（ＬＯＡＤ  ＲＡＴＩＯ）
【００３５】
つづいて、導出部５３は、被めっき材１１のトラッキングポイントＴａ〜Ｔｊがこれから通過するパスＰである次パスが使用パスであるか否かを判定する（ステップＳ６）。ステップＳ６において、次パスが使用パスである場合には、導出部５３は、以下の（３）式から、次電極１３ａ，１３ａでの目付量ｆを算出する（ステップＳ７）。
ｆ＝Ｆ*Ｂｎｘ／Ｂｎａ      （３）
ｆ：次電極１３ａ，１３ａの目付量(ｇ/ｍ２)、Ｆ：残り目付量(ｇ/ｍ２)、Ｂｎｘ：次パスの負担割合、Ｂｎａ：使用パス全ての負担割合の合計
【００３６】
つづいて、導出部５３は、以下の（４）式から、次電極１３ａ，１３ａへの供給電流値ｉを算出する（ステップＳ８）。
ｉ＝Ｋ＊ｆ*Ｗ*Ｖ／Ｅ      （４）
ｉ：次電極１３ａ，１３ａへの供給電流値(Ａ)、Ｋ：係数、Ｆ：次電極１３ａ，１３ａの目付量(ｇ/ｍ２)、Ｗ：被めっき材１１の幅(ｍｍ)、Ｖ：ライン速度(ｍｐｍ)、Ｅ：めっき効率(％)
【００３７】
ステップＳ６において、次パスが使用パスではなく非使用パスである場合には、制御装置５０の設定部５４は、次電極１３ａ，１３ａにＢＡＳＥ電流が流れるように電流値を設定する（ステップＳ９）。なお、導出部５３は、次パスの電流値だけでなく、同様にして他の未通過パスそれぞれの電流値を導出し、算出結果（例えば図５（ａ）参照）を記憶部５２に格納してもよい。図５（ａ）に示されるように、算出結果においては、各パスＰについて、起動優先順位、負担割合、使用予定パスであるか（図５中の「ＯＮ」）非使用予定パスであるか（図５中の「ＢＡＳＥ」）を示す情報、供給電流値、及び、供給電流値に応じた目付量の割合が対応付けられている。
【００３８】
つづいて、導出部５３は、被めっき材１１のトラッキングポイントＴａ〜Ｔｊが各パスＰの出力位置ＯＲを通過したか否かを判定する（ステップＳ１０）。ステップＳ１０において出力位置ＯＲを通過したと判定された場合には、導出部５３は、前述にて算出・設定された電流値又はＢＡＳＥ電流値を電流制御装置（整流器）に出力する（ステップＳ１１）。そして、まだ供給電流値を設定していない使用パスがないかを判定する（ステップＳ１２）。ステップＳ１２において供給電流値を設定していない使用パスがないと判定された場合には、処理が終了する。一方で、ステップＳ１２において供給電流値を設定していない使用パスがあると判定された場合には、導出部５３は、各使用パスにおける目付量の合算値と各非使用パスにおけるＢＡＳＥ電流の供給に応じた目付量の合算値とを合算した値を完了目付量として導出し（ステップＳ１３）、再度ステップＳ２以降の処理が行われる。以上が、制御装置５０が行う電気めっき電流制御処理（制御方法）の実行手順である。
【００３９】
＜電気めっき電流制御処理の一例＞
次に、図５〜図９を参照して、電気めっき電流制御処理の一例（具体例）について説明する。図５〜図９は、電気めっき電流制御処理を説明する図であり、（ｂ）は被めっき材のトラッキングポイントＴａがどのパスＰの計算位置ＣＲにおける処理であるかを示しており、（ａ）は（ｂ）に示されるトラッキングポイントＴａにおける各パスＰについての電流値算出結果を示している。図５は第１パスＰ１、図６は第４パスＰ４、図７は第５パスＰ５、図８は第６パスＰ６、図９は第７パスＰ７に関する情報を示している。なお、以下に述べる計算例における数値は錫めっきの例としている。
【００４０】
最初に、図５（ｂ）に示されるトラッキングポイントＴａが第１パスＰ１の計算位置ＣＲに到達した際の処理の具体例について説明する。例えば、導出部５３は、記憶部５２を参照し、目標目付量：２．８００(ｇ/ｍ２)を取得する。第１パスＰ１であるので、導出部５３は、残り目付量＝目標目付量＝２．８００(ｇ/ｍ２)を算出する。導出部５３は、上述した（１）式から、必要総電流を算出する。係数Ｋ：２．７１、残り目付量Ｆ：２．８００(ｇ/ｍ２)、被めっき材１１の幅Ｗ：１０００(ｍｍ)、ライン速度Ｖ：２００(ｍｐｍ)、めっき効率Ｅ：９０(％)である場合、（１）式より、導出部５３は、以下のとおり必要総電流を算出する。
必要総電流Ｉ＝２．７１*２．８*１０００*２００／９０＝１６８６２．２（Ａ）
【００４１】
つづいて、導出部５３は、上述した（２）式から、全９パスのうち、起動優先順位が高い５つのパスＰ（第１パスＰ１、第８パスＰ８、第２パスＰ２、第７パスＰ７、及び第３パスＰ３）を使用予定パスとして特定し、その他のパスＰ（第４パスＰ４、第５パスＰ５、第６パスＰ６、及び第９パスＰ９）を非使用予定パスとして特定する（図５（ａ）参照）。
【００４２】
つづいて、導出部５３は、上述した（３）式から、次パスであって使用予定パスである第１パスＰ１の電極１３ａ，１３ａにおける目付量を算出する。図５（ａ）に示されるように、次パスである第１パスＰ１の負担割合Ｂｎｘ：８０、使用予定パス全ての負担割合の合計Ｂｎａ：３８０（８０＋７０＋８０＋７０＋８０）である場合、（３）式より、導出部５３は、以下のとおり第１パスＰ１の電極１３ａ，１３ａにおける目付量を算出する。
第１パスＰ１の目付量ｆ１＝２．８*８０／３８０＝０．５８９５(ｇ/ｍ２)
【００４３】
つづいて、導出部５３は、上述した（４）式から、第１パスＰ１の電極１３ａ，１３ａへの供給電流値ｉを算出する。なお、係数Ｋ等の条件は上述したものと同じであるとする。
第１パスＰ１の供給電流値ｉ１＝２．７１*０．５８９*１０００*２００／９０≒３５４９．９（Ａ）
【００４４】
導出部５３は、被めっき材のトラッキングポイントＴａにおいて、次パスである第１パスＰ１だけでなく、他のトラッキングポイントＴｂ〜Ｔｊそれぞれの計算位置ＣＲにおける次パスへの供給電流値についても導出し、電流値算出結果を出力する。設定部５４は、第１パスＰ１の電極１３ａ，１３ａの電流値として供給電流値ｉ１≒３５４９．９（Ａ）を設定する。制御装置５０は、第２パスＰ２及び第３パスＰ３の計算位置ＣＲをそれぞれ通過するトラッキングポイントＴｂ〜Ｔｊについても、同様の処理を行い、第２パスＰ２の電極１３ａ，１３ａへの供給電流値の設定、及び、第３パスＰ３の電極１３ａ，１３ａへの供給電流値の設定を行う。
【００４５】
つづいて、図６（ｂ）に示される第４パスＰ４の計算位置ＣＲにおいては、導出部５３は、まず、通過パスである第１パスＰ１、第２パスＰ２、及び第３パスＰ３での目付量の合算値を完了目付量：１．７６８(ｇ/ｍ２)として導出し、目標目付量：２．８００(ｇ/ｍ２)から完了目付量：１．７６８(ｇ/ｍ２)を差し引き、残り目付量：１．０３２(ｇ/ｍ２)を算出する。そして、導出部５３は上述した（１）式から、必要総電流Ｉ＝２．７１*１．０３２*１０００*２００／９０＝６２１２．４（Ａ）を算出し、（２）式から、２つのパスＰ（第７パスＰ７及び第８パスＰ８）を使用予定パスとして特定し、その他のパスＰ（第４パスＰ４、第５パスＰ５、第６パスＰ６、及び第９パスＰ９）を非使用予定パスとして特定する（図６（ａ）参照）。図６（ａ）に示されるように、第４パスＰ４は非使用予定パスであるので、設定部５４は、ＢＡＳＥ電流の電流値を、第４パスＰ４の電極１３ａ，１３ａへの供給電流値として設定する。
【００４６】
つづいて、図７（ｂ）に示される第５パスＰ５の計算位置ＣＲにおいては、導出部５３は、まず、１つ前に通過した非使用パスである第４パスＰ４での目付量を算出する。非使用パスの目付量は、上述した（１）式を変形することにより算出され、いま、ＢＡＳＥ電流：２００（Ａ）であるので、非使用パスでの目付量ｆｂ＝２００*９０／（２．７１*１０００*２００）＝０．０３３(ｇ/ｍ２)と算出される。導出部５３は、第４パスＰ４での残り目付量：１．０３２(ｇ/ｍ２)から非使用パスでの目付量ｆｂ：０．０３３(ｇ/ｍ２)を差し引き、残り目付量：０．９９８(ｇ/ｍ２)を算出する。そして、導出部５３は上述した（１）式から、必要総電流Ｉ＝２．７１*０．９９８*１０００*２００／９０＝６０１２．４（Ａ）を算出し、（２）式から、２つのパスＰ（第７パスＰ７及び第８パスＰ８）を使用予定パスとして特定し、その他のパスＰ（第５パスＰ５、第６パスＰ６、及び第９パスＰ９）を非使用予定パスとして特定する（図７（ａ）参照）。図７（ａ）に示されるように、第５パスＰ５は非使用予定パスであるので、設定部５４は、ＢＡＳＥ電流の電流値：２００（Ａ）を、第５パスＰ５の電極１３ａ，１３ａへの供給電流値として設定する。
【００４７】
つづいて、図８（ｂ）に示される第６パスＰ６の計算位置ＣＲにおいては、導出部５３は、まず、１つ前に通過した非使用パスである第５パスＰ５での目付量を算出する。非使用パスの目付量は、上述した（１）式を変形することにより算出され、いま、ＢＡＳＥ電流：２００（Ａ）であるので、非使用パスでの目付量ｆｂ＝２００*９０／（２．７１*１０００*２００）＝０．０３３(ｇ/ｍ２)と算出される。導出部５３は、第５パスＰ５での残り目付量：０．９９８(ｇ/ｍ２)から非使用パスでの目付量ｆｂ：０．０３３(ｇ/ｍ２)を差し引き、残り目付量：０．９６５(ｇ/ｍ２)を算出する。そして、導出部５３は上述した（１）式から、必要総電流Ｉ＝２．７１*０．９６５*１０００*２００／９０＝５８１２．４（Ａ）を算出し、（２）式から、２つのパスＰ（第７パスＰ７及び第８パスＰ８）を使用予定パスとして特定し、その他のパスＰ（第６パスＰ６及び第９パスＰ９）を非使用予定パスとして特定する（図８（ａ）参照）。図８（ａ）に示されるように、第６パスＰ６は非使用予定パスであるので、設定部５４は、ＢＡＳＥ電流の電流値：２００（Ａ）を、第６パスＰ６の電極１３ａ，１３ａへの供給電流値として設定する。
【００４８】
つづいて、図９（ｂ）に示される第７パスＰ７の計算位置ＣＲにおいては、導出部５３は、まず、第６パスＰ６での残り目付量：０．９６５(ｇ/ｍ２)から１つ前の非使用パスでの目付量ｆｂ：０．０３３(ｇ/ｍ２)を差し引き、残り目付量：０．９３２(ｇ/ｍ２)を算出する。そして、導出部５３は上述した（１）式から、必要総電流Ｉ＝２．７１*０．９３２*１０００*２００／９０＝５６１２．４（Ａ）を算出し、（２）式から、２つのパスＰ（第７パスＰ７及び第８パスＰ８）を使用予定パスとして特定し、その他のパスＰ（第９パスＰ９）を非使用予定パスとして特定する（図９（ａ）参照）。導出部５３は、上述した（３）式から、次パスであって使用予定パスである第７パスＰ７の電極１３ａ，１３ａにおける目付量を算出する。図９（ａ）に示されるように、次パスである第７パスＰ７の負担割合Ｂｎｘ：７０、使用予定パス全ての負担割合の合計Ｂｎａ：１４０（７０＋７０）である場合、（３）式より、導出部５３は、第７パスＰ７の目付量ｆ＝０．９３２*７０／１４０＝０．４６６(ｇ/ｍ２)を算出する。そして、導出部５３は、上述した（４）式から、第７パスＰ７の供給電流値ｉ＝２．７１*０．４６６*１０００*２００／９０≒２８０６．２（Ａ）を算出する。設定部５４は、第７パスＰ７の電極１３ａ，１３ａの電流値として供給電流値ｉ≒２８０６．２（Ａ）を設定する。制御装置５０は、トラッキングポイントＴａが第８パスＰ８の計算位置ＣＲに到達した際も、同様の処理を行う。そして、図９（ａ）に示されるように、第８パスＰ８が最後の使用パスであるので、以降は電流値算出処理が行われず、電流値の設定（非使用予定パスである第９パスＰ９の供給電流値：２００（Ａ）の設定）のみが行われる。なお、上述の各パス通過中にライン速度が変化した場合、使用パスの電流は、（４）式よりライン速度Ｖの変化に応じて変化する。この結果ライン速度が変化してもパス通過中の予定目付量は確保される。
【００４９】
＜作用効果＞
次に、第１実施形態に係る電気めっき電流制御方法の作用効果について、説明する。
【００５０】
電気めっき設備においては、使用しない（目付のための電流を積極的には流さない）電極についても、めっき材が付着することを抑制する観点から、一定の小電流（ＢＡＳＥ電流）が流される。このようなＢＡＳＥ電流によっても、被めっき材の目付量が増加するものの、従来、ＢＡＳＥ電流を流すことによる目付量の変化は考慮されずに、電極への供給電流値が決定されている。このことで、目標目付量よりも最終製品のめっきが厚くなってしまうおそれがある。近年、めっきラインの高速化が進み、めっき電極数が増加していることに加えて、目付量の幅（最薄目付と最厚目付との差）が大きくなっている。薄目付を行う場合においては、使用しない電極が多数を占めるため、特許文献１のようにＢＡＳＥ電流を考慮しない場合には、目標目付量よりも最終製品のめっきが厚くなるという現象がより顕著に現れることとなり、ＢＡＳＥ電流による目付量が無視できなくなる。
【００５１】
このような課題に対して、本実施形態に係る電気めっき電流制御方法は、被めっき材１１の進行方向に沿って配置されると共に所定長さの複数のパスＰに分割されためっきラインＬを備えた電気めっき設備１０への供給電流を制御する電気めっき電流制御方法であって、被めっき材１１が既に通過したパスＰであって被めっき材１１の目付のための電流が供給されるパスＰである一又は複数の使用パスにおける目付量と、既に通過したパスＰであって使用パスでない一又は複数の非使用パスにおける目付量とを考慮して、被めっき材１１が通過する前のパスＰである一又は複数の未通過パスにおける電極１３ａ，１３ａへの供給電流値を導出することを含み、非使用パスにおける目付量は、非使用パスにおける電極１３ａ，１３ａへの供給電流として予め定められたＢＡＳＥ電流の電流値に応じて導出される。このような電気めっき電流制御方法では、使用パスにおける目付量だけでなく、ＢＡＳＥ電流が供給される未使用パスにおける目付量（ＢＡＳＥ電流に応じた目付量）が考慮されて、電極１３ａ，１３ａへの供給電流値が導出される。このように、ＢＡＳＥ電流によって生じる目付量を加味して供給電流値が導出されることによって、ＢＡＳＥ電流による厚目付を抑制することができ、所望の目付量を実現することができる。
【００５２】
本実施形態に係る電気めっき電流制御方法は、より詳細には、被めっき材１１の所定の領域が一のパスＰを通過する毎に、所定の領域における目標目付量から、所定の領域について既に目付が完了している完了目付量を差し引いた残り目付量を導出し、該残り目付量を充足する必要総電流を導出すると共に、該必要総電流に基づき、一又は複数の未通過パスから、被めっき材１１の目付のための電流が供給されるパスＰである一又は複数の使用予定パスを特定する工程と、特定された一又は複数の使用予定パスの情報に基づき、一又は複数の未通過パスそれぞれにおける電極１３ａ，１３ａへの供給電流値を導出する工程と、導出された供給電流値に基づき、被めっき材１１が次に通過する次パスにおいて電極１３ａ，１３ａに供給される電流を設定する工程と、を備え、供給電流値を導出する工程では、一又は複数の使用予定パスの情報に基づき、一又は複数の使用予定パスについては、必要総電流に基づく目付量に応じて、電極１３ａ，１３ａに供給される供給電流値を導出し、未通過パスのうち、使用予定パスでない一又は複数の非使用予定パスについては、ＢＡＳＥ電流の電流値を、電極１３ａ，１３ａに供給される供給電流値として導出し、使用予定パスを特定する工程では、一又は複数の使用パスにおける目付量の合算値と、一又は複数の非使用パスにおけるＢＡＳＥ電流の供給に応じた目付量の合算値とを合算した値を完了目付量として、残り目付量を導出する。このように、目標目付量と完了目付量とから残り目付量を導出するに際し、非使用パスにおけるＢＡＳＥ電流の供給に応じた目付量を完了目付量に加味することにより、ＢＡＳＥ電流によって生じる目付量を確実に加味して供給電流値を導出することができる。
【００５３】
［第２実施形態］
次に、第２実施形態に係る電気めっき電流制御方法について、図１０〜図１２を参照して説明する。以下の説明では、第１実施形態と異なる点を主に説明する。
【００５４】
第２実施形態に係る電気めっき電流制御方法は、使用予定パス数の特定に関して、第１実施形態に係る電気めっき電流制御方法と一部異なる処理を行う。具体的には、第２実施形態に係る電気めっき電流制御方法では、使用予定パス数を仮決定した後に、次パスを通過する前において、以降の非使用予定パスでの想定目付量（すなわちＢＡＳＥ電流に基づく目付量）を考慮して、使用予定パス数を再考する。
【００５５】
図１０は、第２実施形態に係る電気めっき電流制御処理の実行手順を示すフローチャートである。第２実施形態に係る電気めっき電流制御方法では、図４に示されるステップＳ５に相当する処理（使用パス数決定処理）として、図１０に示されるステップＳ５１〜Ｓ５５の処理が行われる。
【００５６】
図１０に示されるように、使用パス数決定処理では、制御装置５０の導出部５３は、最初に、使用パス数を仮決定する（ステップＳ５１）。使用パス数は、例えば上記（２）式から仮決定される。つづいて、導出部５３は、非使用予定パス（残りのＢＡＳＥ電流パス）における目付量を、現在速度を前提に算出する（ステップＳ５２）。非使用予定パスの目付量は、上述した（１）式を変形することにより導出され、ＢＡＳＥ電流に応じた値とされる。
【００５７】
つづいて、導出部５３は、非使用予定パス（ＢＡＳＥ電流パス）における目付量を考慮して残り目付量を再算出する（ステップＳ５３）。具体的には、残り目付量から非使用予定パスにおける目付量を差し引くことにより残り目付量を再算出する。つづいて、導出部５３は、上記（１）式を用いて、再算出した残り目付量に基づき必要総電流を再算出する（ステップＳ５４）。最後に、導出部５３は、再算出した必要総電流に基づき、上記（２）式から使用予定パス数を決定（本決定）する（ステップＳ５５）。
【００５８】
図１１及び図１２を参照して、第２実施形態に係る電気めっき電流制御処理の一例（具体例）について説明する。図１１及び図１２は、電気めっき電流制御処理を説明する図であり、（ｂ）は被めっき材のトラッキングポイントＴａがどのパスＰの計算位置ＣＲにおける処理であるかを示しており、（ａ）は（ｂ）に示されるトラッキングポイントＴａにおける各パスＰについての電流値算出結果を示している。図１１は第１パスＰ１、図１２は第２パスＰ２に関する情報を示している。
【００５９】
最初に、図１１（ｂ）に示されるトラッキングポイントＴａが第１パスＰ１の計算位置ＣＲに到達した際の処理の具体例について説明する。例えば、導出部５３は、記憶部５２を参照し、目標目付量：２．８００(ｇ/ｍ２)を取得する。第１パスＰ１であるので、導出部５３は、残り目付量＝目標目付量＝２．８００(ｇ/ｍ２)を算出する。導出部５３は、上述した（１）式から、必要総電流：１６８６２．２（Ａ）を導出する。
【００６０】
つづいて、導出部５３は、上述した（２）式から、全９パスのうち、起動優先順位が高い５つのパスＰ（第１パスＰ１、第８パスＰ８、第２パスＰ２、第７パスＰ７、及び第３パスＰ３）を使用予定パスとして仮決定し、その他のパスＰ（第４パスＰ４、第５パスＰ５、第６パスＰ６、及び第９パスＰ９）を非使用予定パスとして仮決定する。すなわち、導出部５３は、使用予定パス数を「５つ」と仮決定する。
【００６１】
つづいて、導出部５３は、非使用予定パス（残りのＢＡＳＥ電流パス）における目付量を現在速度を前提に算出する。いま、ＢＡＳＥ電流：２００（Ａ）であり、非使用予定パスが４つであるので、各非使用予定パスでの目付量の合計ｆｂａｓｅ＝［２００*（９−５）］*９０／（２．７１*１０００*２００）＝０．１３３(ｇ/ｍ２)と算出される。
【００６２】
つづいて、導出部５３は、残り目付量：２．８００(ｇ/ｍ２)から非使用予定パスにおける目付量の合計：０．１３３(ｇ/ｍ２)を差し引くことにより再算出された残り目付量：２．６６７(ｇ/ｍ２)を導出する。そして、導出部５３は、再算出された残り目付量に基づき必要総電流を再算出し、必要総電流：１６０６２．２（Ａ）が再算出される。このようにして再算出された必要総電流は、非使用予定パスのＢＡＳＥ電流による目付量を考慮して再考されたものである。導出部５３は、当該再算出された必要総電流に基づき、仮決定した使用予定パス数が正しいかを判定する。今回の場合は、再算出された必要総電流１６０６２．２（Ａ）であっても使用予定パス数は「５つ」となるため、仮決定時と同様に、使用予定パス数を「５つ」に決定する。そして、導出部５３は、上述した（３）式から、次パスであって使用予定パスである第１パスＰ１の電極１３ａ，１３ａにおける目付量を算出し、第１パスＰ１の目付量ｆ１＝２．６６７*８０／３８０＝０．５６２(ｇ/ｍ２)を導出する。そして、導出部５３は、上述した（４）式から、第１パスＰ１の電極１３ａ，１３ａへの供給電流値ｉ＝２．７１*０．５６２*１０００*２００／９０≒３３８１．５（Ａ）を導出する。このように、非使用予定パスでの目付量を考慮して必要総電流を再算出することによって、考慮しない場合（第１実施形態）とは、供給電流値が異なっている。
【００６３】
つづいて、図１２（ｂ）に示されるトラッキングポイントＴａが第２パスＰ２の計算位置ＣＲに到達した際は、導出部５３は、残り目付量から必要総電流：１３４８０．７（Ａ）を算出し、上述した（２）式から使用予定パス数を１つ増やして「５つ」に仮決定する。この場合、上述した処理と同様に、導出部５３は、まず、非使用予定パス（残りのＢＡＳＥ電流パス）における目付量を算出する。いま、ＢＡＳＥ電流：２００（Ａ）であり、非使用予定パスが３つであるので、現在速度を前提とした各非使用予定パスでの目付量の合計ｆｂａｓｅ＝［２００*（８−５）］*９０／（２．７１*１０００*２００）＝０．１００(ｇ/ｍ２)と算出される。
【００６４】
導出部５３は、残り目付量：２．２３８(ｇ/ｍ２)から非使用予定パスにおける目付量の合計：０．１００(ｇ/ｍ２)を差し引くことにより再算出された残り目付量：２．１３９(ｇ/ｍ２)を導出する。そして、導出部５３は、再算出された残り目付量に基づき必要総電流を再算出し、必要総電流：１２８８０．７（Ａ）が再算出される。このようにして再算出された必要総電流は、非使用予定パスのＢＡＳＥ電流による目付量を考慮して再考されたものである。導出部５３は、当該再算出された必要総電流に基づき、仮決定した使用予定パス数が正しいかを判定する。今回の場合は、再算出された必要総電流１２６８０．７（Ａ）であるため使用予定パス数は「４つ」となる。いま、仮決定していた使用予定パス数から変更になっているため、該変更後の使用予定パス数で再度計算が行われる。すなわち、導出部５３は、非使用予定パスを４つとして、現在速度を前提とした各非使用予定パスでの目付量の合計ｆｂａｓｅ＝［２００*（８−４）］*９０／（２．７１*１０００*２００）＝０．１３３(ｇ/ｍ２)を算出する。導出部５３は、残り目付量：２．２３８(ｇ/ｍ２)から非使用予定パスにおける目付量の合計：０．１３３(ｇ/ｍ２)を差し引くことにより、残り目付量：２．１０６(ｇ/ｍ２)を再算出する。そして、導出部５３は、再算出された残り目付量に基づき必要総電流を再算出し、必要総電流：１２６８０．７（Ａ）が再算出される。導出部５３は、非使用予定パス数を「４つ」に決定し、使用予定パスの追加は不要であると判定する。そして、導出部５３は、次パスであって使用予定パスである第２パスＰ２の電極１３ａ，１３ａにおける目付量を算出し、第２パスＰ２の目付量ｆ＝２．６６７*８０／３００＝０．５６２(ｇ/ｍ２)を導出する。そして、導出部５３は、上述した（４）式から、第２パスＰ２の電極１３ａ，１３ａへの供給電流値ｉ＝２．７１*０．５６２*１０００*２００／９０≒３３８１．５（Ａ）を導出する。この場合、負担割合が互いに同じ使用パスである第１パスＰ１時点における第２パスＰ２への供給予定電流値及び第２パスＰ２の供給電流値が同じであり、算出結果が矛盾していないことが確認できる（図１２（ａ）参照）。
【００６５】
上述したように、第２実施形態に係る電気めっき電流制御方法では、使用予定パスを特定する工程において、非使用予定パスにおけるＢＡＳＥ電流に応じた現在速度を前提とした想定目付量を考慮して、一又は複数の使用予定パスが特定される。第１実施形態による非使用パスにおけるＢＡＳＥ電流を考慮して供給電流値を導出する場合においては、被めっき材１１が既に通過したパス（通過パス）のＢＡＳＥ電流の供給に応じた目付量については適切に考慮することができるものの、今後通過するパス（未通過パス）のＢＡＳＥ電流の供給に応じた目付量については考慮することができない。このため、例えば、以降に使用パスがない区間において供給電流値の導出がなされない態様においては、最後の使用パス以降の非使用予定パスにおけるＢＡＳＥ電流の供給に応じた目付量が考慮されずに供給電流値が導出されるため、最後の使用パス以降の非使用パスのＢＡＳＥ電流によって厚目付が生じてしまうおそれがある。この点、非使用予定パスにおけるＢＡＳＥ電流に応じた現在速度を前提とした想定目付量が考慮されて使用予定パスが特定され供給電流値が導出されることにより、最後の使用パス以降の非使用予定パスでの目付量も考慮して供給電流値が導出されることになり、最後の使用パス以降の非使用パスのＢＡＳＥ電流によって厚目付が生じてしまうことを回避することができる。
【００６６】
より詳細には、第２実施形態に係る電気めっき電流制御方法では、使用予定パスを特定する工程において、残り目付量からＢＡＳＥ電流による想定目付量を差し引いた値を再算出残り目付量として導出し、該再算出残り目付量を充足する必要総電流を導出し、一又は複数の使用予定パスを特定している。このように、ＢＡＳＥ電流に応じた想定目付量が差し引かれて再算出残り目付量が導出され使用予定パスが特定されることにより、最後の使用パス以降の非使用予定パスにおけるＢＡＳＥ電流の供給に応じた目付量を確実に考慮して供給電流値を導出することができる。なお、上述の各パス通過中にライン速度が変化した場合、使用パスの電流は、（４）式よりライン速度Ｖの変化に応じて変化する。この結果ライン速度が変化してもパス通過中の予定目付量は確保される。
【００６７】
［第３実施形態］
次に、第３実施形態に係る電気めっき電流制御方法について、図１３〜図１５を参照して説明する。以下の説明では、第１及び第２実施形態と異なる点を主に説明する。
【００６８】
第３実施形態に係る電気めっき電流制御方法では、被めっき材１１のライン速度が変化した場合において、ＢＡＳＥ電流の値がライン速度の変化に応じて補正されて、予定されていたＢＡＳＥ電流による目付量を確保すると共に、以降の非使用予定パスでの目付量が補正されたＢＡＳＥ電流によって導出される。
【００６９】
図１３（ａ），（ｂ）は、第３実施形態に係る電気めっき電流制御処理の実行手順を示すフローチャートである。第３実施形態に係る電気めっき電流制御方法では、図４に示されるステップＳ２及びステップＳ３の処理と並行して実施される処理として、図１３（ａ）に示されるステップＳ４０１及びステップＳ４０２の処理（ライン速度記憶）が行われる。また、第３実施形態に係る電気めっき電流制御方法では、図４に示されるステップＳ９に相当する処理（ＢＡＳＥ電流値設定）として、図１３（ｂ）に示されるステップＳ４１０の処理が行われる。
【００７０】
図１３（ａ）に示すように、トラッキングポイントＴａ〜Ｔｊが第１パスの計算位置ＣＲを通過したときに（ステップＳ４０１）、初期ライン速度Ｖ０を記憶する処理ステップＳ４０２を実施する。なお、このとき、並行して、目標目付量から完了目付量を差し引いた残り目付量を算出する（ステップＳ３）。
【００７１】
更に、図４におけるステップＳ６において次電極が使用でないと判定された場合には、図１３（ｂ）に示されるように、ライン速度に応じてＢＡＳＥ電流値を計算する。具体的には、下記式の通り、初期ライン速度に対する現在ライン速度の比でＢＡＳＥ電流を補正する。
ｉｂａｓｅ＝ｉｂ０＊Ｖ／Ｖ０      （５）
ｉｂａｓｅ：出力（ＢＡＳＥ）電流値（Ａ）、ｉｂ０：設定ＢＡＳＥ電流値（Ａ）、Ｖ：現在ライン速度（ｍｐｍ）、Ｖ０：初期ライン速度（ｍｐｍ）
【００７２】
図１４及び図１５を参照して、第３実施形態に係る電気めっき電流制御処理の一例（具体例）について説明する。図１４及び図１５は、電気めっき電流制御処理を説明する図であり、（ｂ）は被めっき材のトラッキングポイントＴａがどのパスＰの計算位置ＣＲにおける処理であるかを示しており、（ａ）は（ｂ）に示されるトラッキングポイントＴａにおける各パスＰについての電流値算出結果を示している。図１４は第３パスＰ３、図１５は第４パスＰ４に関する情報を示している。
【００７３】
最初に、図１４（ｂ）に示されるトラッキングポイントＴａが第３パスＰ３の計算位置ＣＲに到達した際の処理の具体例について説明する。いま、第１パスＰ１の計算位置ＣＲにおいて２００（ライン速度の単位を省略して記載。以下同様）であったライン速度が、第３パスＰ３の計算位置ＣＲにおいて２３０に加速しているとする。導出部５３は、残り目付量：１．６７７(ｇ/ｍ２)を算出し、残り目付量から必要総電流：１１６１４．１（Ａ）を算出し、使用予定パス数を１つ追加し「４つ」に仮決定しているとする。
【００７４】
導出部５３は、ライン速度の変化に応じた速度補正を行った上で、非使用予定パス（残りのＢＡＳＥ電流パス）における目付量を算出する。いま、設定ＢＡＳＥ電流：２００（Ａ）であり、非使用予定パスが４つであり、ライン速度が２００から２３０に加速しているので、非使用予定パスへのＢＡＳＥ電流値は式（５）よりｉｂａｓｅ＝２００＊２３０／２００＝２３０（Ａ）であり、更に、各非使用予定パスでの目付量の合計ｆｂａｓｅ＝［２３０*（７−４）］*９０／（２．７１*１０００*２３０）＝０．１００(ｇ/ｍ２)と算出される。導出部５３は、非使用予定パスでの目付量の合計を考慮して残り目付量１．５７７を再算出し、該残り目付量から必要総電流１０９２４．１（Ａ）を再算出する。このようにして再算出された必要総電流は、ライン速度の変化を考慮して再考されたものである。導出部５３は、当該再算出された必要総電流に基づき、仮決定した使用予定パス数が正しいかを判定する。今回の場合は、再算出された必要総電流１０９２４．１（Ａ）であっても使用予定パス数は「４つ」となるため、仮決定時と同様に、使用予定パス数を「４つ」に決定する。そして、導出部５３は、上述した（３）式から、次パスであって使用予定パスである第３パスＰ３の電極１３ａ，１３ａにおける目付量を算出し、第３パスＰ３の目付量ｆ＝１．５７７*８０／２９０＝０．４３５(ｇ/ｍ２)を導出する。そして、導出部５３は、上述した（４）式から、第３パスＰ３の電極１３ａ，１３ａへの供給電流値ｉ＝２．７１*０．４３５*１０００*２３０／９０≒３０１３．５（Ａ）を導出する。
【００７５】
つづいて、図１５（ｂ）に示される第４パスＰ４の計算位置ＣＲでは、ライン速度が更に２６０に加速しているとする。導出部５３は、残り目付量：１．６７７−０．４３５＝１．２４２(ｇ/ｍ２)を算出し、残り目付量から必要総電流：９７２２．３３（Ａ）を算出し、使用予定パス数を「３つ」に仮決定する。
【００７６】
導出部５３は、ライン速度の変化に応じた速度補正を行った上で、非使用予定パス（残りのＢＡＳＥ電流パス）における目付量を算出する。いま、設定ＢＡＳＥ電流：２００（Ａ）であり、非使用予定パスが４つであり、ライン速度が２００から２６０に加速しているので、非使用予定パスへのＢＡＳＥ電流は式（５）よりｉｂａｓｅ＝２００＊２６０／２００＝２６０（Ａ）であり、更に、各非使用予定パスでの目付量の合計ｆｂａｓｅ＝［２６０*（７−４）］*９０／（２．７１*１０００*２６０）＝０．１００(ｇ/ｍ２)と算出される。導出部５３は、非使用予定パスでの目付量の合計を考慮して残り目付量１．１４２を再算出し、該残り目付量から必要総電流８９４２．３３（Ａ）を再算出する。このようにして再算出された必要総電流は、ライン速度の変化を考慮して再考されたものである。導出部５３は、当該再算出された必要総電流に基づき、仮決定した使用予定パス数が正しいかを判定する。今回の場合は、再算出された必要総電流８９４２．３３（Ａ）であっても使用予定パス数は「３つ」となるため、仮決定時と同様に、使用予定パス数を「３つ」に決定する。第４パスＰ４は、図１５（ａ）に示されるように非使用予定パスであるため、供給電流値の算出は行われず、ＢＡＳＥ電流が設定される。
【００７７】
上述したように、第３実施形態に係る電気めっき電流制御方法では、ＢＡＳＥ電流値を設定するする工程において、被めっき材１１のライン速度が変化した場合において、ＢＡＳＥ電流の値をライン速度の変化に応じて補正し、更に、補正されたＢＡＳＥ電流値から想定目付量を導出している。このように、ライン速度の変化に応じてＢＡＳＥ電流の値が変化されることにより、ライン速度が変化した場合においてもＢＡＳＥ電流に応じた目付量を均一に保つことが可能になり、目付量の過不足が生じることを抑制できる。
【符号の説明】
【００７８】
１１…被めっき材、１３…めっきライン、１３ａ，１３ａ…電極（めっき電極）、５０…制御装置（電気めっき電流制御装置）、Ｐ…パス。
【図１】
2020139218.tif 000003
【図２】
2020139218.tif 000004
【図３】
2020139218.tif 000005
【図４】
2020139218.tif 000006
【図５】
2020139218.tif 000007
【図６】
2020139218.tif 000008
【図７】
2020139218.tif 000009
【図８】
2020139218.tif 000010
【図９】
2020139218.tif 000011
【図１０】
2020139218.tif 000012
【図１１】
2020139218.tif 000013
【図１２】
2020139218.tif 000014
【図１３】
2020139218.tif 000015
【図１４】
2020139218.tif 000016
【図１５】
2020139218.tif 000017